(57)【要約】      （修正有）【課題】収納時や運搬時は折りたたまれて小型になり、撮影の場面によっては右手や左手で把持したり、通常撮影や自分撮りなど撮影方法によって最適な把持の仕方ができ、置き撮り時には、設置面積を大きくして画面を安定させたり、複数の方向から同時に画面を確認できる撮像装置を提供する。【解決手段】撮像ユニットを有する第一の筺体１００と、第二の筺体２００と、第一の表示装置を有する第三の筺体３００と、第四の筺体４００がヒンジ機構１１０、３１０により回転可能に連結され、第一の筺体と第二の筺体と第三の筺体と第四の筺体が環状に連結されそれぞれの内側面が当接せず中空部を有する第一の配置と、第一の筺体の内側面と第二の筺体の内側面とが当接するように畳まれた第二の配置と、第一の筺体の内側面と第四の筺体の内側面とが当接するように畳まれた第三の配置とへ移動可能とした。【選択図】図１
2015126428.tif 000002
【特許請求の範囲】
【請求項１】
撮像ユニットを有する第一の筺体と、
第二の筺体と、
第一の表示装置を有する第三の筺体と、
第四の筺体を有する撮像装置に於いて、
前記第一の筺体の第一の端部と、前記第二の筺体の第一の端部とを回転可能に連結する第一のヒンジ機構と、
前記第二の筺体の第二の端部と、前記第三の筺体の第一の端部とを回転可能に連結する第二のヒンジ機構と、
前記第三の筺体の第二の端部と、前記第四の筺体の第一の端部とを回転可能に連結する第三のヒンジ機構と、
前記第四の筺体の第二の端部と、前記第一の筺体の第二の端部とを回転可能に連結する第四のヒンジ機構と、を備え、
前記第一の筺体と前記第二の筺体と前記第三の筺体と前記第四の筺体が環状に連結され、
前記第一の筺体と前記第二の筺体と前記第三の筺体と前記第四の筺体のそれぞれの内側面が当接せず、中空部を有する第一の配置と、
前記第一の筺体の内側面と前記第二の筺体の内側面とが当接するように畳まれた第二の配置と、
前記第一の筺体の内側面と前記第四の筺体の内側面とが当接するように畳まれた第三の配置とへ移動可能な撮像装置。
【請求項２】
前記第一の筺体の第一の端部に設けられた前記第一のヒンジ機構と、前記第一の筺体の第二の端部に設けられた前記第四のヒンジ機構は同一平面上にあり平行ではない配置であり、
前記第二の筺体の第一の端部に設けられた前記第一のヒンジ機構と、前記第二の筺体の第二の端部に設けられた前記第二のヒンジ機構は同一平面上にあり平行ではない配置であり、
前記第三の筺体の第一の端部に設けられた前記第二のヒンジ機構と、前記第三の筺体の第二の端部に設けられた前記第三のヒンジ機構は同一平面上にあり平行ではない配置であり、
前記第四の筺体の第一の端部に設けられた前記第三のヒンジ機構と、前記第四の筺体の第二の端部に設けられた前記第四のヒンジ機構は同一平面上にあり平行ではない配置
であることを特徴とする請求項１に記載の撮像装置。
【請求項３】
前記第二の筺体と前記第四の筺体の少なくとも一方に第二の表示装置を搭載したことを特徴とする請求項１又は請求項２に記載の撮像装置。
【発明の詳細な説明】
【技術分野】
【０００１】
本発明は、撮像装置に関するものである。
【背景技術】
【０００２】
従来、この種の撮像装置として、特許文献１が知られている。特許文献１で開示されている撮像装置は、撮像ユニットを有する第１の筐体の一方の端部と、第２の筐体の一方の端部を回転可能に連結する第一のヒンジと、前記第２の筐体の他方の端部と表示部を有する第３の筐体の一方の端部とを回転可能に連結する第２ヒンジ機構とを備えている。
【０００３】
上記撮像装置は、撮影時には、第１の筐体と第２の筐体を互いに相対的に回転させて開く。一方、非撮影時には、２つの筐体は、重ね合わせるようにして折り畳まれる。これにより、撮像装置が小さくなり、カバンなどに入れて持ち運ぶことが容易になる。
【先行技術文献】
【特許文献】
【０００４】
【特許文献１】特許第４４６８３４６号
【発明の概要】
【発明が解決しようとする課題】
【０００５】
この種の撮像装置では、収納時や、運搬時は折りたたまれて、小型になるものが好まれる。一方で、撮影の場面によっては、右手で把持したり、左手で把持したり、あるいは、前方を撮影する通常撮影や自分を撮影する自分撮りなど撮影方法によって最適な把持の仕方ができる形態が好まれる。
【０００６】
また、テーブル等に置いての置き撮り時には、設置面積を大きくして画面を安定させたり、複数の方向から同時に画面を確認できる形態が好まれる。
【０００７】
そこで、本発明は、上記の課題を解決することのできる撮像装置を提供することを目的とする。
【課題を解決するための手段】
【０００８】
本発明の撮像装置は、
撮像ユニットを有する第一の筺体と、第二の筺体と、第一の表示装置を有する第三の筺体と、
第四の筺体を有する撮像装置に於いて、前記第一の筺体の第一の端部と、前記第二の筺体の第一の端部とを回転可能に連結する第一のヒンジ機構と、前記第二の筺体の第二の端部と、前記第三の筺体の第一の端部とを回転可能に連結する第二のヒンジ機構と、前記第三の筺体の第二の端部と、前記第四の筺体の第一の端部とを回転可能に連結する第三のヒンジ機構と、前記第四の筺体の第二の端部と、前記第一の筺体の第二の端部とを回転可能に連結する第四のヒンジ機構と、を備え、前記第一の筺体と前記第二の筺体と前記第三の筺体と前記第四の筺体が環状に連結され、前記第一の筺体と前記第二の筺体と前記第三の筺体と前記第四の筺体のそれぞれの内側面が当接せず、中空部を有する第一の配置と、前記第一の筺体の内側面と前記第二の筺体の内側面とが当接するように畳まれた第二の配置と、前記第一の筺体の内側面と前記第四の筺体の内側面とが当接するように畳まれた第三の配置とへ移動可能
としたことを特徴としている。
【０００９】
また、本発明の他の特徴とするところは、
前記第一の筺体の第一の端部に設けられた前記第一のヒンジ機構と、前記第一の筺体の第二の端部に設けられた前記第四のヒンジ機構は同一平面上にあり平行ではない配置であり、
前記第二の筺体の第一の端部に設けられた前記第一のヒンジ機構と、前記第二の筺体の第二の端部に設けられた前記第二のヒンジ機構は同一平面上にあり平行ではない配置であり、
前記第三の筺体の第一の端部に設けられた前記第二のヒンジ機構と、前記第三の筺体の第二の端部に設けられた前記第三のヒンジ機構は同一平面上にあり平行ではない配置であり、
前記第四の筺体の第一の端部に設けられた前記第三のヒンジ機構と、前記第四の筺体の第二の端部に設けられた前記第四のヒンジ機構は同一平面上にあり平行ではない配置としたことを特徴としている。
【００１０】
また、本発明のその他の特徴とするところは、
前記第二の筺体と前記第四の筺体の少なくとも一方に第二の表示装置を搭載した
ことを特徴としている。
【発明の効果】
【００１１】
本発明によれば、
前記第一の筺体の第一の端部と、前記第二の筺体の第一の端部とを回転可能に連結する第一のヒンジ機構と、前記第二の筺体の第二の端部と、前記第三の筺体の第一の端部とを回転可能に連結する第二のヒンジ機構と、前記第三の筺体の第二の端部と、前記第四の筺体の第一の端部とを回転可能に連結する第三のヒンジ機構と、前記第四の筺体の第二の端部と、前記第一の筺体の第二の端部とを回転可能に連結する第四のヒンジ機構と、を備え、前記第一の筺体と前記第二の筺体と前記第三の筺体と前記第四の筺体のそれぞれの内側面が当接せず、中空部を有する第一の配置とすることにより、テーブル上などでの置き撮り撮影時に安定して設置することができる。また、前記第一の筺体と前記第二の筺体と前記第三の筺体と前記第四の筺体のそれぞれの内側面が当接せず、中空部を有する第一の配置とすることにより、ビン等に挿入して撮影高さを変更することも可能である。
【００１２】
また、前記第一の筺体の内側面と前記第二の筺体の内側面とが当接するように畳まれた第二の配置と、前記第一の筺体の内側面と前記第四の筺体の内側面とが当接するように畳まれた第三の配置とでは、撮像ユニット１１０を有する前記第一の筺体１００と把持部となる前記第三の筺体３００とが角度を有した形態となり、把持した時の手頸への負担が軽減され、右手で把持しての自分撮りや、左手で把持しての通常撮影、左手で把持しての自分撮り、右手で把持しての通常撮影等、持ち手や撮影方向に最適な形態とすることが可能である。
【００１３】
また、第二の配置や第三の配置では薄型の形態とできるため、持ち運びや、収納に最適な形態とすることが可能である。
【００１４】
一台の撮像装置で、形態を変えることにより、安定した置き撮りや、さまざまな把持方法に対応可能で、持ち運びや、収納に最適な形態とすることがかのうな撮像装置が提供される。
【図面の簡単な説明】
【００１５】
【図１】撮像装置の環状の第一の配置時の撮像ユニットの斜視図
【図２】本発明に係る撮像装置の筺体単位の展開図
【図３】第二の配置の撮像ユニットの斜視図
【図４】第一の筺体と第二の筺体との内側面が当接する第三の配置での右手自分撮り形態
【図５】第一の筺体と第二の筺体との内側面が当接する第三の配置での左手通常撮影形態
【図６】第一の筺体と第四の筺体との内側面が当接する第四の配置での左手自分撮り形態
【図７】第一の筺体と第四の筺体との内側面が当接する第四の配置での右手通常撮影形態
【発明を実施するための形態】
【００１６】
以下、本実施例による撮像装置を図面に示す実施例に基づいて説明する。
【００１７】
＜第１の実施形態＞
図１は本発明に係る撮像装置１０の中空部を有した第一の配置時の斜視図であり、図１（ａ）は、撮像ユニット前方からの斜視図、図１（ｂ）は、撮像ユニット後方からの斜視図である。図２は本発明に係る撮像装置１０の筺体単位に分解した図である。
【００１８】
１００は第一の筺体、２００は第二の筺体、３００は第三の筺体、４００は第四の筺体である。
【００１９】
１１０は前記第一の筺体１００の第一の端部１０１の上部側と、前記第二の筺体２００の第一の端部２０１の上部側とを回転可能に連結する第一のヒンジ機構、２１０は前記第二の筺体２００の第二の端部２０２の下部側と、前記第三の筺体３００の第一の端部３０１の下部側とを回転可能に連結する第二のヒンジ機構、３１０は前記第三の筺体３００の第二の端部３０２の下部側と、前記第四の筺体４００の第一の端部４０１の下部側とを回転可能に連結する第三のヒンジ機構、４１０は前記第四の筺体４００の第二の端部４０２の上部側と、前記第一の筺体１００の第二の端部１０２の上部側とを回転可能に連結する第四のヒンジ機構である。
【００２０】
前記第一の筺体１００の第一の端部１０１に設けられた前記第一のヒンジ機構１１０と、前記第一の筺体１００の第二の端部１０２に設けられた前記第四のヒンジ機構４１０は同一平面上にあり平行ではない配置であり、前記第二の筺体２００の第一の端部２０１に設けられた前記第一のヒンジ機構１１０と、前記第二の筺体２００の第二の端部２０２に設けられた前記第二のヒンジ機構２１０は同一平面上にあり平行ではない配置であり、前記第三の筺体３００の第一の端部３０１に設けられた前記第二のヒンジ機構２１０と、前記第三の筺体３００の第二の端部３０２に設けられた前記第三のヒンジ機構３１０は同一平面上にあり平行ではない配置であり、前記第四の筺体４００の第一の端部４０１に設けられた前記第三のヒンジ機構３１０と、前記第四の筺体４００の第二の端部４０２に設けられた前記第四のヒンジ機構４１０は同一平面上にあり平行ではない配置である。
【００２１】
前記第一のヒンジ機構１１０、前記第二のヒンジ機構２１０、前記第三のヒンジ機構３１０、前記第四のヒンジ機構４１０で、前記第一の筺体１００と前記第二の筺体２００と前記第三の筺体３００と前記第四の筺体４００が環状に連結され、中空部を有する第一の配置となる。
【００２２】
１２０は前記第一の筺体１００の第一の面１０３に配置された撮像ユニットである。３３０は前記第三の筺体３００の第一の面３０３に配置された第一の表示装置、２３０は前記第二の筺体２００の第一の面２０３に配置された第二の表示装置、４３０は前記第四の筺体４００の第一の面４０３に配置された第三の表示装置である。
【００２３】
１０４は前記第一の筺体１００の第一の面１０３の対面の第二の面、２０４は前記第二の筺体２００の第一の面２０３の対面の第二の面、３０４は前記第三の筺体３００の第一の面３０３の対面の第二の面、４０４は前記第四の筺体４００の第一の面４０３の対面の第二の面である。
【００２４】
３４０は前記第三の筺体３００の第三の面３０５に配置された第一の撮影スタートストップノブである。
【００２５】
前記第一の表示装置３３０、前記第二の表示装置２３０、前記第三の表示装置４３０の表示部はそれぞれタッチパネルを有しており、撮像装置１０の操作キーが表示され、ユーザーにより操作可能である。
【００２６】
前記第一の表示装置３３０、前記第二の表示装置２３０、前記第三の表示装置４３０への表示は、撮像ユニット１２０による撮像画像、再生画像または、撮像装置１０のタッチパネル操作キー表示を、ユーザーによりタッチパネル操作で切り替え可能である。
【００２７】
上記第一の配置での撮像装置１０の動作について説明する。
【００２８】
パーティー会場などで、テーブルの上に撮像装置１０を第一の配置に置いて、撮像ユニット１２０により斜め上方を撮影し、前記第一の表示装置３３０、前記第二の表示装置２３０、前記第三の表示装置４３０への表示を撮像画像か撮像装置１０のタッチパネル操作キーかを選択し、前記第一の撮影スタートストップノブ３４０を操作することにより、撮像装置１０内部の図示していない記録メディアに画像が記録される。また、中空部を有する形態であるため、ビン等に挿入して撮影高さを変更することも可能である。
【００２９】
図３（ａ）は、第一の配置時から天地逆転した第二の配置の撮像ユニット前方からの斜視図、  図３（ｂ）は、第一の配置時から天地逆転した第二の配置の撮像ユニット後方からの斜視図である。３５０は前記第三の筺体３００の第四の面３０６に配置された第二の撮影スタートストップノブである。
【００３０】
パーティー会場などで、テーブルの上に撮像装置１０を第二の配置に置いて、撮像ユニット１２０により斜め下方を撮影し、前記第一の表示装置３３０、前記第二の表示装置２３０、前記第三の表示装置４３０への表示を撮像画像か撮像装置１０のタッチパネル操作キーかを選択し、前記第二の撮影スタートストップノブ３５０を操作することにより、撮像装置１０内部の図示していない記録メディアに画像が記録される。
【００３１】
図４は、前記第二の配置から第二のヒンジ機構２１０と第四のヒンジ機構４１０を近づけるように撮像装置１０を形態変化させることにより、前記第一の筺体１００の第二の端部１０２の下部側のスペースへ、前記第二のヒンジ機構２１０が入り込み、前記第二の筺体２００の第二の端部２０２の上部側のスペースへ、第四のヒンジ機構４１０が入り込むことにより、前記第二のヒンジ機構２１０と前記第四のヒンジ機構４１０が同軸上に上下に並び、前記第一の筺体１００の第二の面１０４と前記第二の筺体２００の第二の面２０４とが当接した第三の配置であり、右手で把持しての自分撮り状態である。
【００３２】
前記第一の筺体１００の第一の端部１０１に設けられた前記第一のヒンジ機構１１０と、前記第一の筺体１００の第二の端部１０２に設けられた前記第四のヒンジ機構４１０は同一平面上にあり平行ではない配置であるため、前記第一の筺体１００の第二の端部１０２と前記第四の筺体４００の第二の端部４０２が当接して、撮像ユニット１１０を有する前記第一の筺体１００と把持部となる前記第三の筺体３００とが角度を有した形態となる。
【００３３】
前記第四の筺体４００の第三の表示装置４３０には撮像ユニット１２０による撮像画像が表示され、自分撮りの画像を確認しながら第二の撮影スタートストップノブ３５０を操作することにより、撮像装置１０内部の図示していない記録メディアに画像が記録される。
【００３４】
図５は、図４の第三の配置の撮像装置１０を左手で把持しての通常撮影状態である。前記第二の筺体２００に配置された第二の表示装置２３０には撮像ユニット１２０による撮像画像が表示され、前記第三の筺体３００に配置された第一の表示装置３３０には撮像装置１０のタッチパネル操作キーが表示され、撮像画像を確認しながら第二の撮影スタートストップノブ３５０を操作することにより、撮像装置１０内部の図示していない記録メディアに画像が記録される。
【００３５】
図６は、前記第二の配置から第一のヒンジ機構１１０と第三のヒンジ機構３１０を近づけるように撮像装置１０を形態変化させることにより、前記第一の筺体１００の第一の端部１０１の下部側のスペースへ、前記第三のヒンジ機構３１０が入り込み、前記第三の筺体３００の第二の端部３０２の上部側のスペースへ、第一のヒンジ機構１１０が入り込むことにより、前記第一のヒンジ機構１１０と前記第三のヒンジ機構３１０が同軸上に上下に並び、前記第一の筺体１００の第二の面１０４と前記第四の筺体第二の面４０４とが当接した第四の配置であり、左手で把持しての自分撮り状態である。
【００３６】
前記第一の筺体１００の第一の端部１０１に設けられた前記第一のヒンジ機構１１０と、前記第一の筺体１００の第二の端部１０２に設けられた前記第四のヒンジ機構４１０は同一平面上にあり平行ではない配置であるため、前記第一の筺体１００の第一の端部１０１と前記第二の筺体２００の第一の端部２０１が当接して、撮像ユニット１１０を有する前記第一の筺体１００と
把持部となる前記第三の筺体３００とが角度を有した形態となる。
【００３７】
前記第二の筺体２００の第二の表示装置２３０には撮像ユニット１２０による撮像画像が表示され、自分撮りの画像を確認しながら第二の撮影スタートストップノブ３５０を操作することにより、撮像装置１０内部の図示していない記録メディアに画像が記録される。
【００３８】
図７は、図６の第四の配置の撮像装置１０を右手で把持しての通常撮影状態である。前記第四の筺体４００に配置された第三の表示装置４３０には撮像ユニット１２０による撮像画像が表示され、前記第三の筺体３００に配置された第一の表示装置３３０には撮像装置１０のタッチパネル操作キーが表示され、撮像画像を確認しながら第二の撮影スタートストップノブ３５０を操作することにより、撮像装置１０内部の図示していない記録メディアに画像が記録される。
【００３９】
以上説明したように、前記第一の筺体の第一の端部と、前記第二の筺体の第一の端部とを回転可能に連結する第一のヒンジ機構と、前記第二の筺体の第二の端部と、前記第三の筺体の第一の端部とを回転可能に連結する第二のヒンジ機構と、前記第三の筺体の第二の端部と、前記第四の筺体の第一の端部とを回転可能に連結する第三のヒンジ機構と、前記第四の筺体の第二の端部と、前記第一の筺体の第二の端部とを回転可能に連結する第四のヒンジ機構と、を備え、前記第一の筺体と前記第二の筺体と前記第三の筺体と前記第四の筺体のそれぞれの内側面が当接せず、中空部を有する第一の配置とすることにより、テーブル上などでの置き撮り撮影時に安定して設置することができる。
【００４０】
また、前記第一の筺体と前記第二の筺体と前記第三の筺体と前記第四の筺体のそれぞれの内側面が当接せず、中空部を有する第一の配置とすることにより、ビン等に挿入して撮影高さを変更することも可能である。
【００４１】
また、前記第一の筺体の内側面と前記第二の筺体の内側面とが当接するように畳まれた第二の配置と、前記第一の筺体の内側面と前記第四の筺体の内側面とが当接するように畳まれた第三の配置では、撮像ユニット１１０を有する前記第一の筺体１００と把持部となる前記第三の筺体３００とが角度を有した形態となり、把持した時の手頸への負担が軽減され、右手で把持しての自分撮りや、左手で把持しての通常撮影、左手で把持しての自分撮り、右手で把持しての通常撮影等、持ち手や撮影方向に最適な形態とすることが可能である。
【００４２】
また、第二の配置や第三の配置では薄型の形態とできるため、持ち運びや、収納に最適な形態とすることが可能である。
【００４３】
上記から明らかなように、一台の撮像装置で、形態を変えることにより、安定した置き撮りや、さまざまな把持方法に対応可能で、持ち運びや、収納に最適な形態とすることが可能な撮像装置が提供される。
【符号の説明】
【００４４】
１０‥‥撮像装置
１００‥‥第一の筺体
１０１‥‥第一の筺体１００の第一の端部
１０２‥‥第一の筺体１００の第二の端部
１０４‥‥第一の筺体１００の第二の面
１１０‥‥第一のヒンジ機構
１１０‥‥撮像ユニット
２００‥‥第二の筺体
２０１‥‥第一の筺体２００の第一の端部
２０２‥‥第一の筺体２００の第二の端部
２０４‥‥第一の筺体２００の第二の面
２１０‥‥第二のヒンジ機構
２３０‥‥第二の表示装置
３００‥‥第三の筺体
３０１‥‥第一の筺体３００の第一の端部
３０２‥‥第一の筺体３００の第二の端部
３０４‥‥第一の筺体３００の第二の面
３１０‥‥第三のヒンジ機構
３３０‥‥第一の表示装置
３３０‥‥第一の撮影スタートストップノブ
３４０‥‥第二の撮影スタートストップノブ
４００‥‥第四の筺体
４０１‥‥第一の筺体４００の第一の端部
４０２‥‥第一の筺体４００の第二の端部
４０４‥‥第一の筺体４００の第二の面
４１０‥‥第四のヒンジ機構
４３０‥‥第三の表示装置
【図１】
2015126428.tif 000003
【図２】
2015126428.tif 000004
【図３】
2015126428.tif 000005
【図４】
2015126428.tif 000006
【図５】
2015126428.tif 000007
【図６】
2015126428.tif 000008
【図７】
2015126428.tif 000009